(57)【要約】  電気コネクタが、ヘッダーコネクタと、そのヘッダーコネクタに嵌合するように構成されたソケットコネクタとを有する。ヘッダーコネクタは、複数の信号ピンと複数のシールドブレードとを有する。ソケットコネクタは、各々が信号接点に結合された複数の導電経路を有し、また複数の第１のシールドを有してもよい。複数の信号ピン、並びに複数の導電経路及び信号接点は、複数の伝送線路を形成するように構成されている。複数のシールドブレード又は複数の第１のシールドは、電気的にアース接続されており、ヘッダーコネクタとソケットコネクタが嵌合した配置にあるときに複数の伝送経路の断続的なシールディングを提供するよう構成されている。【選択図】図６
2011529254.tif 000002
【特許請求の範囲】
【請求項１】
電気コネクタであって、
ヘッダーコネクタであって、
複数の第１の開口部と複数の第２の開口部とを有するように形成されたヘッダー本体と、
前記複数の第１の開口部に挿入されるように構成された複数の信号ピンと、
前記複数の第２の開口部に挿入されるように構成された複数のシールドブレードと、を有する、ヘッダーコネクタと、
前記ヘッダーコネクタに嵌合するように構成されたソケットコネクタであって、
ソケットハウジングと、
前記ソケットハウジングに挿入されるように構成された複数のコネクタモジュールであって、各々が、複数の導電経路を被覆する絶縁材料を有し、各導電経路が信号接点に結合されているコネクタモジュールと、
を有するソケットコネクタと、を有し、
前記複数の信号ピン、並びに前記複数の導電経路及び信号接点は、複数の伝送線路を形成するように構成されており、前記複数のシールドブレードは、電気的にアース接続され、前記ヘッダーコネクタと前記ソケットコネクタとが嵌合する配置にあるときに前記複数の伝送線路の断続的なシールディングを提供するよう構成され、
前記複数のシールドブレードは、前記ヘッダーコネクタと前記ソケットコネクタとが嵌合する配置にあるときに前記ソケットコネクタの中に延びる、
電気コネクタ。
【請求項２】
前記ソケットコネクタが、プリント回路基板と電気ケーブルの一方に装着されるように構成されている、請求項１に記載の電気コネクタ。
【請求項３】
前記ヘッダーコネクタが、プリント回路基板と電気ケーブルの一方に装着されるように構成されている、請求項１に記載の電気コネクタ。
【請求項４】
前記複数のシールドブレードが、プリント回路基板と係合するように構成された複数のテールを備える、請求項１に記載の電気コネクタ。
【請求項５】
前記複数のシールドブレードの各々が、その第１の端部に、略直角のシールディング部分を有し、前記シールディング部分は、前記複数の信号ピンのうちの対応する１つに隣接して配設されるように構成されている、請求項１に記載の電気コネクタ。
【請求項６】
前記第１及び第２の開口部が、前記複数のシールドブレードの前記略直角のシールディング部分が前記複数の信号ピンを実質的に囲繞して前記複数の信号ピンの各々の周りに同軸シールドを形成するように、前記ヘッダー本体内に配置されている、請求項５に記載の電気コネクタ。
【請求項７】
前記略直角のシールディング部分が、第１及び第２のレッグ部分を有し、前記複数の第２の開口部の各々は、前記略直角のシールディング部分を受容するための略直角の第２の開口部を含み、前記第１及び第２のレッグ部分と係合して前記シールドブレードを定位置に保持するように寸法を定められた第１及び第２の狭幅スロート部分を有し、前記第１及び第２の狭幅スロート部分によって第１及び第２の末端部分に結合された中央部分を有し、前記中央部分並びに前記第１及び第２の末端部分は、前記略直角のシールディング部分を囲繞する空隙をもたらすように付形されている、請求項５に記載の電気コネクタ。
【請求項８】
前記複数の信号ピン及び前記複数のシールドブレードが、圧入によって前記ヘッダー本体内に保持されている、請求項１に記載の電気コネクタ。
【請求項９】
前記複数のシールドブレードが、材料の連続ストリップにて形成されており、共通のグランドに電気的に接続されるように構成されている、請求項１に記載の電気コネクタ。
【請求項１０】
電気コネクタであって、
ヘッダーコネクタであって、
複数の第１の開口部を有するように形成されたヘッダー本体と、
前記複数の第１の開口部に挿入されるように構成された複数の信号ピンと、
を有するヘッダーコネクタと、
前記ヘッダーコネクタに嵌合するように構成されたソケットコネクタであって、
ソケットハウジングと、
前記ソケットハウジングに挿入されるように構成された複数のコネクタモジュールであって、各々が、複数の導電経路を被覆する絶縁材料を有し、各導電経路が信号接点に結合されている、コネクタモジュールと、
前記ソケットハウジングに挿入されるように構成された複数の第１のシールドであって、各々が、関連するコネクタモジュールの第１の側部に沿って延びる、第１のシールドと、を有するソケットコネクタと、
を備える、電気コネクタであって、
前記複数の信号ピン、並びに前記複数の導電経路及び信号接点は、複数の伝送線路を形成するように構成されており、前記複数の第１のシールドは、電気的にアース接続され、前記ヘッダーコネクタと前記ソケットコネクタとが嵌合する配置にあるときに前記複数の伝送線路の断続的なシールディングを提供するよう構成されている、
電気コネクタ。
【請求項１１】
前記ソケットコネクタが、プリント回路基板と電気ケーブルの一方に装着されるように構成されている、請求項１０に記載の電気コネクタ。
【請求項１２】
前記ヘッダーコネクタが、プリント回路基板と電気ケーブルの一方に装着されるように構成されている、請求項１０に記載の電気コネクタ。
【請求項１３】
前記複数の第１のシールドが、プリント回路基板と係合するように構成された複数のテールを備える、請求項１０に記載の電気コネクタ。
【請求項１４】
個々の第１のシールドが、隣接する列をなす導電経路の特異な対を形成するように取り外し可能である、請求項１０に記載の電気コネクタ。
【請求項１５】
前記コネクタモジュールが、複数の通路を有し、前記通路は、前記複数の導電経路に介挿されており、前記コネクタモジュールの対向する側部の間で側方に延び、前記第１のシールドは、複数の側方延在チャネルを形成するように、前記コネクタモジュールの前記通路と実質的に整列する配置で、対向する側部の間で側方に延びる複数の通路を有し、前記ソケットコネクタは、複数の第２のシールドを更に備え、前記第２のシールドは、前記複数の側方延在チャネルに挿入されるように構成されており、各導電経路の周りに同軸シールドを形成するように前記第１のシールドに電気的に結合されている、請求項１０に記載の電気コネクタ。
【請求項１６】
個々の第２のシールドが、隣接する行をなす導電経路の特異な対を形成するように取り外し可能である、請求項１５に記載の電気コネクタ。
【請求項１７】
前記ソケットコネクタは、前記ソケットハウジングに挿入されるように構成された複数の第３のシールドを更に備え、前記複数の第３のシールドは、各信号接点の周りに同軸シールドを形成するように前記第１のシールドに電気的に結合されている、請求項１５に記載の電気コネクタ。
【請求項１８】
個々の第３のシールドが、隣接する行をなす導電経路の特異な対を形成するように個々の第２のシールドに沿って取り外し可能である、請求項１７に記載の電気コネクタ。
【発明の詳細な説明】
【技術分野】
【０００１】
本発明は、二部電気コネクタに関する。具体的には、本発明は、例えばバックプレーン用途においてプリント回路基板及び／又は電気ケーブルに取り付けるための二部高速電気コネクタに関する。
【背景技術】
【０００２】
高周波信号及び電流を搬送する導体は、高周波信号及び電流を搬送する他の導体に近接して配置されると、干渉及びクロストークを受ける。この干渉及びクロストークは、結果として、信号受信における信号の劣化及びエラーをもたらすことがある。同軸ケーブル及びシールドケーブルを利用して、送信点から受信点に信号を搬送し、あるシールドケーブル又は同軸ケーブルで搬送される信号が、近接する別のシールドケーブル又は同軸ケーブルによって搬送される信号と干渉する可能性を低減させることができる。しかしながら、接続の時点で、シールディングは多くの場合、損なわれ、それにより信号間の干渉及びクロストークを許すことになっている。非常に多数の接続を非常に狭い空間内でなす必要があるため、個別のシールド線及びケーブルの使用は、接続点においては望ましいものではない。これらの状況下において、複数のシールド伝送線路を収容した二部高速電気コネクタが使用されている。国際電気標準会議による規格ＩＥＣ  ６１０７６−４−１０１に、プリント回路基板で使用するための２ｍｍの二部コネクタに対するパラメータが記載されている。
【発明の概要】
【発明が解決しようとする課題】
【０００３】
ユーザーが性能の改善を達成すべくシステムを修正及び改良するとき、例えばコンパクトＰＣＩ又はフューチャーバスコネクタと最新の高速シールドコネクタとの間で後方互換性に関する問題が生じる。つまり、シールドコネクタシステムに変更することによってシステム性能を改良させようと望むユーザーは、両方のコネクタ要素（ヘッダーとソケット構成要素）を改良し、おそらくは更にシステムの全体的な実装をも変更しなければならない。性能の向上をもたらす一方で、例えばコンパクトＰＣＩ又はフューチャーバスコネクタとの後方互換性を依然として許容する電気コネクタが望まれている。
【課題を解決するための手段】
【０００４】
本発明の少なくとも１つの態様は、二部電気コネクタに関するものであり、この二部電気コネクタは、プリント回路基板及び／又は電気ケーブルに取り付けるためのものであり、例えばコンパクトＰＣＩ又はフューチャーバスコネクタとの後方互換性を依然として認めながらも、当該技術分野において既知の電気コネクタと比べて性能を向上させるように設計されたものである。
【０００５】
一態様において、本発明は、ヘッダーコネクタと、そのヘッダーコネクタに嵌合するように構成されたソケットコネクタとを有する電気コネクタを提供する。ヘッダーコネクタは、複数の第１の開口部と複数の第２の開口部とを有するように形成されたヘッダー本体を有する。ヘッダーコネクタは、複数の第１の開口部に挿入されるように構成された複数の信号ピンと、複数の第２の開口部に挿入されるように構成された複数のシールドブレードとを更に有する。このソケットコネクタは、ソケットハウジングと、そのソケットハウジングに挿入されるように構成された複数のコネクタモジュールとを有する。各コネクタモジュールは、複数の導電経路を被覆する絶縁材料を有する。各導電経路は信号接点に結合されている。複数の信号ピン、並びに複数の導電経路及び信号接点は、複数の伝送線路を形成するように構成されている。複数のシールドブレードは、電気的にアース接続され、ヘッダーコネクタとソケットコネクタとが嵌合した配置にあるときに複数の伝送線路の断続的なシールディングを提供するように構成されている。複数のシールドブレードは、ヘッダーコネクタとソケットコネクタとが嵌合する配置にあるときにソケットコネクタの中に延びる。
【０００６】
別の態様において、本発明は、ヘッダーコネクタと、そのヘッダーコネクタに嵌合するように構成されたソケットコネクタとを有する電気コネクタを提供する。ヘッダーコネクタは、複数の第１の開口部を有するように形成されたヘッダー本体を有する。ヘッダーコネクタは、複数の第１の開口部に挿入されるように構成された複数の信号ピンを更に有する。ソケットコネクタは、ソケットハウジングと、複数のコネクタモジュールと、複数の第１のシールドとを有する。複数のコネクタモジュールは、ソケットハウジングに挿入されるように構成されている。各コネクタモジュールは、複数の導電経路を被覆する絶縁材料を有する。各導電経路は信号接点に結合されている。複数の第１のシールドは、ソケットハウジングに挿入されるように構成されている。各第１のシールドは、関連するコネクタモジュールの第１の側部に沿って延びる。複数の信号ピン、並びに複数の導電経路及び信号接点は、複数の伝送線路を形成するように構成されている。複数の第１のシールドは、電気的にアース接続され、ヘッダーコネクタとソケットコネクタとが嵌合した配置にあるときに複数の伝送線路の断続的なシールディングを提供するよう構成されている。
【０００７】
上記の本発明の概要は、本発明の開示した実施形態それぞれ又は全ての実現形態を説明することを意図したものではない。以下の図及び詳細な説明によって、例示的な実施形態をより具体的に示す。
【図面の簡単な説明】
【０００８】
【図１Ａ】本発明の態様による電気コネクタの例示的な実施形態の略図。
【図１Ｂ】本発明の態様による電気コネクタの例示的な実施形態の略図。
【図１Ｃ】本発明の態様による電気コネクタの例示的な実施形態の略図。
【図１Ｄ】本発明の態様による電気コネクタの例示的な実施形態の略図。
【図１Ｅ】本発明の態様による電気コネクタの例示的な実施形態の略図。
【図２】ソケットコネクタとヘッダーコネクタとを有する本発明の態様による電気コネクタの例示的な実施形態の分解斜視図。
【図３】図２の電気コネクタの部分断面側面図。
【図４】図２のソケットコネクタの分解斜視図。
【図５】図２のヘッダーコネクタの分解斜視図。
【図６】本発明の態様による電気コネクタの別の例示的な実施形態の分解斜視図。
【図７】図６の電気コネクタの部分断面側面図。
【図８】本発明の態様による電気コネクタの別の例示的な実施形態の分解斜視図。
【図９】図８の電気コネクタの部分断面側面図。
【図１０】本発明の態様による電気コネクタの別の例示的な実施形態の分解斜視図。
【図１１】図１０の電気コネクタの部分断面側面図。
【図１２】本発明の態様による電気コネクタの別の例示的な実施形態の分解斜視図。
【図１３】図１２の電気コネクタの部分断面側面図。
【図１４】本発明の態様による電気コネクタの別の例示的な実施形態の分解斜視図。
【図１５】図１４の電気コネクタの部分断面側面図。
【図１６Ａ】本発明の態様による電気コネクタによって達成された、改善されたインピーダンスプロファイルを示すグラフ。
【図１６Ｂ】本発明の態様による電気コネクタによって達成された、改善されたインピーダンスプロファイルを示すグラフ。
【図１６Ｃ】本発明の態様による電気コネクタによって達成された、改善されたインピーダンスプロファイルを示すグラフ。
【図１６Ｄ】本発明の態様による電気コネクタによって達成された、改善されたインピーダンスプロファイルを示すグラフ。
【発明を実施するための形態】
【０００９】
以下に、好ましい実施形態について詳しく説明する中で、本願の一部をなす添付の図面を参照する。添付の図面は、実例として、本発明が実施され得る特定の実施形態を示すものである。理解されたいこととして、他の実施形態が利用されてもよく、また、構造的若しくは論理的な変更が、本発明の範囲から逸脱することなくなされてもよい。したがって、以下の詳細な説明は、限定的な意味で解釈されるものではなく、本発明の範囲は、添付の特許請求の範囲によって定義される。
【００１０】
図１Ａ〜１Ｅは、本発明の各種の態様による電気コネクタの例示的な実施形態の略図を示している。図１Ａを参照すると、電気コネクタ２が、ヘッダーコネクタ４と、ヘッダーコネクタ４に嵌合するように構成されたソケットコネクタ６とを有している。ヘッダーコネクタ４は、複数の信号ピン８（１本の信号ピン８のみ示す）と、複数のシールドブレード１０（１つのシールドブレード１０のみ示す）とを有している。ソケットコネクタ６は、各々が信号接点１４（１つの信号接点１４のみ示す）に結合された複数の導電経路１２（１つの導電経路１２のみ示す）と、複数の第１のシールド１６（１つの第１のシールド１６のみ示す）とを有している。複数の信号ピン８、並びに複数の導電経路１２及び信号接点１４は、複数の伝送線路を形成するように構成されている。複数のシールドブレード１０及び複数の第１のシールド１６は、（接続線Ａで示すように）電気的に接続されており、ヘッダーコネクタ４とソケットコネクタ６とが嵌合した配置にあるときに複数の伝送線路の断続的なシールディングを提供するよう構成されている。伝送線路の断続的なシールディングは、本願では、伝送線路に近接及び付随し、例えば２つのプリント回路基板の接地平面などの２つの接地基準の間にある不連続的な電気経路を形成するシールディングとして定義されている。例えば、シールディングは、一方の端部でのみ電気的にアース接続されてもよい。この例が図１Ｂ〜１Ｅに示されている。図１Ｂに示す例示的な実施形態において、複数のシールドブレード１０は、電気的にアース接続されている。この場合、シールディングは、例えば複数の伝送線路がプリント回路基板又は電気ケーブル（図示せず）に接続されるソケットコネクタ６の端部にて分断される。図１Ｃに示す例示的な実施形態において、複数の第１のシールド１６は、電気的にアース接続されている。この場合、シールディングは、例えば複数の伝送線路がプリント回路基板又は電気ケーブル（図示せず）に接続されるヘッダーコネクタ４の端部にて分断される。図１Ｄに示す例示的な実施形態において、複数の第１のシールド１６は、ソケットコネクタ６から除かれており、複数のシールドブレード１０は電気的にアース接続されている。この場合、複数の第１のシールド１６を除くことにより、シールドブレード１０の嵌合端部にてシールディングが分断されることになる。図１Ｅに示す例示的な実施形態において、複数の第１のシールド１６は、ヘッダーコネクタ４から除かれており、複数の第１のシールド１６は電気的にアース接続されている。この場合、複数のシールドブレード１０を除くことにより、第１のシールド１６の嵌合端部にてシールディングが分断されることになる。
【００１１】
ヘッダーコネクタ４とソケットコネクタ６とが嵌合した配置にあるとき、複数の伝送線路の断続的なシールディングが、この分断は、複数のシールドブレード１０若しくはそれらの一部分のみによって、複数の第１のシールド１６若しくはそれらの一部分のみによって、又はそれらの組み合わせによってもたらされてもよく、ここで、複数のシールドブレード１０若しくはそれらの一部分と、複数の第１のシールド１６若しくはそれらの一部分は、電気的に接続される。複数のシールドブレード１０若しくはそれらの一部分と、複数の第１のシールド１６若しくはそれらの一部分は、伝送線路のうちの複数の信号ピン８で形成された部分、伝送線路のうちの複数の導電経路１２及び信号接点１４で形成された部分、又はそれら双方の組み合わせの断続的なシールディングを提供するよう寄与することができる。
【００１２】
断続的なシールディングのために、当業者であれば、例えば電送線路に付随するシールディングが両端部にて電気的にアース接続されるとき、断続的なシールディングの電気コネクタの電気的性能が、非断続的なシールディングの同じ電気コネクタの電気的性能よりも相当に低下すると予想し、また特に、電気コネクタのインピーダンスプロファイルにおける不連続性がより大きくなると予想するであろう。しかしながら、図１６Ｂに示すように、断続的なシールディングの電気コネクタのインピーダンスプロファイルは、予想外にも、非断続的なシールディングの同じ電気コネクタのインピーダンスプロファイルと類似している。図１６Ｂのグラフは、断続的なシールディングの電気コネクタのインピーダンスプロファイル（線９０８）と、非断続的なシールディングの同じ電気コネクタのインピーダンスプロファイル（線９０６）の例を示している。いずれのインピーダンスプロファイルもそれぞれ、第１の電気コネクタ（位置Ｈ）、電気ケーブル（位置Ｉ）、及び第２の電気コネクタ（位置Ｊ）を通じて信号が進行するように電気ケーブルを介して電気的に接続された２つの電気コネクタを有するアセンブリを使用して測定されたものである。いずれのインピーダンスプロファイルも、約３５ｐｓの立ち上がり時間にて測定されたものであり、この立ち上がり時間は、第１のコネクタ差し込み口における約１００ｐｓの立ち上がり時間に対応している。
【００１３】
加えて、断続的なシールディングのために、当業者であれば、断続的なシールディングの電気コネクタの電気的性能が、シールディングのない同じ電気コネクタの電気的性能よりも相当に高くなるとは予想せず、また特に、電気コネクタのインピーダンスプロファイルにおける不連続性がより小さくなるとは予想しないであろう。しかしながら、図１６Ｃに示すように、断続的なシールディングの電気コネクタのインピーダンスプロファイルにおける不連続性は、予想外にも、シールディングのない同じ電気コネクタのインピーダンスプロファイルにおける不連続性よりも小さなものとなっている。図１６Ｃのグラフは、断続的なシールディングの電気コネクタのインピーダンスプロファイル（線９０８）と、シールディングのない同じ電気コネクタのインピーダンスプロファイル（線９０２）の例を示している。いずれのインピーダンスプロファイルもそれぞれ、第１の電気コネクタ（位置Ｈ）、電気ケーブル（位置Ｉ）、及び第２の電気コネクタ（位置Ｊ）を通じて信号が進行するように電気ケーブルを介して電気的に接続された２つの電気コネクタを有するアセンブリを使用して測定されたものである。いずれのインピーダンスプロファイルも、約３５ｐｓの立ち上がり時間にて測定されたものであり、この立ち上がり時間は、第１のコネクタ差し込み口における約１００ｐｓの立ち上がり時間に対応している。
【００１４】
シールディングのない電気コネクタの例には、業界基準のＩＥＣ  ６１０７６−４−１０１に従うハードメトリックコネクタ、及びコンパクトＰＣＩ又はフューチャーバスの業界基準に従うハードメトリックコネクタが挙げられる。非断続的なシールディングの電気コネクタの例が、米国特許第６，１４６，２０２号、同第６，２３１，３９１号、及び同第６，３７１，８１３号に図示され記載されている。
【００１５】
図２〜１５は、ソケットコネクタとヘッダーコネクタとを有する、本発明の態様による断続的なシールディングの電気コネクタの様々な例示的な実施形態を示している。
【００１６】
図２〜５を参照すると、電気コネクタ１０２が、ヘッダーコネクタ１０４と、ヘッダーコネクタ１０４に嵌合するように構成されたソケットコネクタ１０６とを有している。ヘッダーコネクタ１０４は、第１のプリント回路基板１１８に結合されるように構成されており、複数の信号ピン１０８と複数のシールドブレード１１０とを有している。ソケットコネクタ１０６は、第２のプリント回路基板１２０に結合されるように構成されており、各々が信号接点１１４に結合された複数の導電経路１１２と、複数の第１のシールド１１６とを有している。複数の信号ピン１０８、並びに複数の導電経路１１２及び信号接点１１４は、複数の伝送線路を形成するように構成されている。複数のシールドブレード１１０及び複数の第１のシールド１１６は、電気的に接続されており、ヘッダーコネクタ１０４とソケットコネクタ１０６とが嵌合した配置にあるときに複数の伝送線路の断続的なシールディングを提供するよう構成されている。
【００１７】
図４は、ソケットコネクタ１０６の分解斜視図を示している。ソケットコネクタ１０６は、ソケットハウジング１２２と、複数の水平シールド１２４（本願では「第３のシールド」とも呼ばれる）と、複数のコネクタモジュール１２６（「ウエハ」としても知られる）と、複数の垂直ストリップ線路シールド１１６（本願では「第１のシールド」又は「第１のシールド部分」とも呼ばれる）と、複数の側方延在傾斜テールシールド１２８（本願では「第２のシールド」又は「第２のシールド部分」とも呼ばれる）とを有している。明確にするため、複数の第３のシールド１２４、複数のコネクタモジュール１２６、及び複数の第１のシールド１１６のうちのそれぞれ１つのみ、図４に示されている。ソケットコネクタ１０６に類似したソケットコネクタの例が、米国特許第６，１４６，２０２号、同第６，２３１，３９１号、及び同第６，３７１，８１３号に図示され記載されている。ソケットコネクタのこれらの例とは異なり、ソケットコネクタ１０６の複数の第１のシールド１１６は、複数の側部シールドテール（例えば、米国特許第６，１４６，２０２号における側部シールドテール３００など）を有していない。複数の側部シールドテールが存在しないことにより、電気コネクタ１０２の伝送線路のシールディングが分断されており、複数の伝送線路は、第２のプリント回路基板１２０に接続されるように構成されている。一実施形態において、複数の側部シールドテールが存在しないことにより、第２のプリント基板１２０の対応するホール１３０を除くことが可能となり、それにより、業界基準のＩＥＣ  ６１０７６−４−１０１に従うハードメトリックコネクタ及びコンパクトＰＣＩ又はフューチャーバスの業界基準に従うハードメトリックコネクタに合わせた、プリント回路基板のホールパターンを使用することが可能となる。
【００１８】
図５は、ヘッダーコネクタ１０４の分解斜視図を示している。ヘッダーコネクタ１０４は、ヘッダー本体１３２と、複数の信号ピン１０８と、複数のシールドブレード１１０を中に形成された連続ストリップと、複数の接地ピン１３４とを有している。電気コネクタ１０２において使用され得るヘッダーコネクタ１０４に類似したヘッダーコネクタの例が、米国特許第６，１４６，２０２号、同第６，２３１，３９１号、及び同第６，３７１，８１３号に図示され記載されている。
【００１９】
電気コネクタ１０２における複数の伝送線路の断続的なシールディングを促進するために、複数のシールドブレード１１０は、電気的にアース接続されるように構成されている。複数のシールドブレード１１０の電気的接地は、第１のプリント回路基板１１８のホール１３８に圧入及び／又ははんだ付けされ得る複数のシールドテール１３６を通じて生じる。別法として、複数のシールドブレード１１０の第１のプリント基板１１８への電気的接地は、限定するものではないが、圧入、はんだ付け、表面実装、摩擦嵌合、機械的な締め付け、及び接着剤を含めて、任意の好適な方法／構造を使用して達成されてよい。
【００２０】
図６及び７を参照すると、電気コネクタ２０２が、ヘッダーコネクタ２０４と、ヘッダーコネクタ２０４に嵌合するように構成されたソケットコネクタ２０６とを有している。ヘッダーコネクタ２０４は、第１のプリント回路基板２１８に結合されるように構成されており、複数の信号ピン２０８と複数のシールドブレード２１０とを有している。ソケットコネクタ２０６は、第２のプリント回路基板２２０に結合されるように構成されており、各々が信号接点２１４に結合された複数の導電経路２１２を有している。複数の信号ピン２０８、並びに複数の導電経路２１２及び信号接点２１４は、複数の伝送線路を形成するように構成されている。複数のシールドブレード２１０は、ヘッダーコネクタ２０４とソケットコネクタ２０６とが嵌合した配置にあるときに複数の伝送線路の断続的なシールディングを提供するよう構成されている。
【００２１】
ソケットコネクタ２０６は、ソケットハウジング２２２と複数のコネクタモジュール２２６（「ウエハ」とも呼ばれる）とを有している。ソケットコネクタ２０６は、業界基準のＩＥＣ  ６１０７６−４−１０１に従うハードメトリックコネクタであっても、コンパクトＰＣＩ又はフューチャーバスの業界基準に従うハードメトリックコネクタであってもよい。一態様において、ソケットコネクタ２０６はソケットコネクタ１０６（図２〜４に示す）に類似している。しかしながら、ソケットコネクタ１０６とは異なり、ソケットコネクタ２０６は、複数の第１のシールド（例えば第１のシールド１１６など）、複数の第２のシールド（例えば第２のシールド１２８など）、又は複数の第３のシールド（例えば第３のシールド１２４）を有していない。複数の第１のシールド、複数の第２のシールド、及び複数の第３のシールドが存在しないことにより、シールドブレード２１０の嵌合端部にて電気コネクタ２０２の伝送線路のシールディングが分断される。一実施形態において、ソケットコネクタ２０６は、業界基準のＩＥＣ  ６１０７６−４−１０１に従うハードメトリックコネクタ又はコンパクトＰＣＩ若しくはフューチャーバス業界基準に従うハードメトリックコネクタに合わせたプリント回路基板のホールパターンを使用して、第２のプリント回路基板２２０に装着されることができる。
【００２２】
ヘッダーコネクタ２０４は、ヘッダー本体２３２と、複数の信号ピン２０８と、複数のシールドブレード２１０を中に形成された連続ストリップとを有している。電気コネクタ２０２において使用され得るヘッダーコネクタ２０４に類似したヘッダーコネクタの例が、米国特許第６，１４６，２０２号、同第６，２３１，３９１号、及び同第６，３７１，８１３号に図示され記載されている。一態様において、ソケットコネクタ２０４はソケットコネクタ１０４（図２、３、及び５に示す）に類似している。しかしながら、ヘッダーコネクタ１０４とは異なり、ヘッダーコネクタ２０４は複数の接地ピン（例えば接地ピン１３４など）を有していない。
【００２３】
電気コネクタ２０２における複数の伝送線路の断続的なシールディングを促進するために、複数のシールドブレード２１０は、電気的にアース接続されるように構成されている。複数のシールドブレード２１０の電気的接地は、第１のプリント回路基板２１８のホール２３８に圧入及び／又ははんだ付けされ得る複数のシールドテール２３６を通じて生じる。別法として、複数のシールドブレード２１０の第１のプリント基板２１８への電気的接地は、限定するものではないが、圧入、はんだ付け、表面実装、摩擦嵌合、機械的な締め付け、及び接着剤を含めて、任意の好適な方法／構造を使用して達成されてよい。
【００２４】
図８及び９を参照すると、電気コネクタ３０２が、ヘッダーコネクタ３０４と、ヘッダーコネクタ３０４に嵌合するように構成されたソケットコネクタ３０６とを有している。ヘッダーコネクタ３０４は、第１のプリント回路基板３１８に結合されるように構成されており、複数の信号ピン３０８と複数のシールドブレード３１０とを有している。ソケットコネクタ３０６は、第２のプリント回路基板３２０に結合されるように構成されており、各々が信号接点３１４に結合された複数の導電経路３１２と、複数の第１のシールド３１６とを有している。複数の信号ピン３０８、並びに複数の導電経路３１２及び信号接点３１４は、複数の伝送線路を形成するように構成されている。複数のシールドブレード３１０及び複数の第１のシールド３１６は、電気的に接続されており、ヘッダーコネクタ３０４とソケットコネクタ３０６とが嵌合した配置にあるときに複数の伝送線路の断続的なシールディングを提供するよう構成されている。
【００２５】
ソケットコネクタ３０６は、ソケットハウジング３２２と、複数の水平シールド３２４（本願では「第３のシールド」とも呼ばれる）と、複数のコネクタモジュール３２６（「ウエハ」としても知られる）と、複数の垂直ストリップ線路シールド３１６（本願では「第１のシールド」又は「第１のシールド部分」とも呼ばれる）と、複数の側方延在傾斜テールシールド３２８（本願では「第２のシールド」又は「第２のシールド部分」とも呼ばれる）とを有している。ソケットコネクタ３０６に類似したソケットコネクタの例が、米国特許第６，１４６，２０２号、同第６，２３１，３９１号、及び同第６，３７１，８１３号に図示され記載されている。ソケットコネクタのこれらの例とは異なり、ソケットコネクタ３０６の複数の第１のシールド３１６は、複数の側部シールドテール（例えば、米国特許第６，１４６，２０２号における側方シールドテール３００など）を有していない。一実施形態において、複数の側部シールドテールが存在しないことにより、第２のプリント基板３２０の対応するホール３３０を除くことが可能となり、それにより、業界基準のＩＥＣ  ６１０７６−４−１０１に従うハードメトリックコネクタ及びコンパクトＰＣＩ又はフューチャーバスの業界基準に従うハードメトリックコネクタに合わせた、プリント回路基板のホールパターンを使用することが可能となる。
【００２６】
ヘッダーコネクタ３０４は、ヘッダー本体３３２と、複数の信号ピン３０８と、複数のシールドブレード３１０を中に形成された連続ストリップと、複数の接地ピン３３４とを有している。ヘッダーコネクタ３０４に類似したヘッダーコネクタの例が、米国特許第６，１４６，２０２号、同第６，２３１，３９１号、及び同第６，３７１，８１３号に図示され記載されている。一態様において、ヘッダーコネクタ３０４はヘッダーコネクタ１０４（図２、３、及び５に示す）に類似している。しかしながら、ヘッダーコネクタ１０４の複数のシールドブレード１１０とは異なり、ヘッダーコネクタ３０４の複数のシールドブレード３１０は、複数のシールドテール（例えばシールドテール１３６など）を有していない。複数のシールドテールが存在しないことにより、電気コネクタ３０２の伝送線路のシールディングが分断されており、複数の伝送線路は、第１のプリント回路基板３１８に接続されるように構成されている。一実施形態において、複数のシールドテールが存在しないことにより、第１のプリント基板３１８の対応するホール３３８を除くことが可能となり、それにより、業界基準のＩＥＣ  ６１０７６−４−１０１に従うハードメトリックコネクタ及びコンパクトＰＣＩ又はフューチャーバスの業界基準に従うハードメトリックコネクタに合わせた、プリント回路基板のホールパターンを使用することが可能となる。
【００２７】
電気コネクタ３０２における複数の伝送線路の断続的なシールディングを促進するために、ソケットコネクタ３０６の複数の第１のシールド３１６は、電気的にアース接続されるように構成されている。複数の第１のシールド３１６は１つおきに、複数の第１のシールド３１６を電気的に接地するように構成された端部シールドテール３４０を有している。端部シールドテール３４０は、第２のプリント回路基板３２０のホール３３０に圧入及び／又ははんだ付けされることができる。別法として、複数の第１のシールド３１６の第２のプリント基板３２０への電気的接地は、限定するものではないが、圧入、はんだ付け、表面実装、摩擦嵌合、機械的な締め付け、及び接着剤を含めて、任意の好適な方法／構造を使用して達成されてよい。
【００２８】
図１０及び１１を参照すると、電気コネクタ４０２が、ヘッダーコネクタ４０４と、ヘッダーコネクタ４０４に嵌合するように構成されたソケットコネクタ４０６とを有している。ヘッダーコネクタ４０４は、第１のプリント回路基板４１８に結合されるように構成されており、複数の信号ピン４０８と複数のシールドブレード４１０とを有している。ソケットコネクタ４０６は、第２のプリント回路基板４２０に結合されるように構成されており、各々が信号接点４１４に結合された複数の導電経路４１２と、複数の第１のシールド４１６とを有している。複数の信号ピン４０８、並びに複数の導電経路４１２及び信号接点４１４は、複数の伝送線路を形成するように構成されている。複数のシールドブレード４１０及び複数の第１のシールド４１６は、電気的に接続されており、ヘッダーコネクタ４０４とソケットコネクタ４０６とが嵌合した配置にあるときに複数の伝送線路の断続的なシールディングを提供するよう構成されている。
【００２９】
ソケットコネクタ４０６は、ソケットハウジング４２２と、複数の水平シールド４２４（本願では「第３のシールド」とも呼ばれる）と、複数のコネクタモジュール４２６（「ウエハ」としても知られる）と、複数の垂直ストリップ線路シールド４１６（本願では「第１のシールド」又は「第１のシールド部分」とも呼ばれる）と、複数の側方延在傾斜テールシールド４２８（本願では「第２のシールド」又は「第２のシールド部分」とも呼ばれる）とを有している。電気コネクタ４０２において使用され得るソケットコネクタ４０６に類似したソケットコネクタの例が、米国特許第６，１４６，２０２号、同第６，２３１，３９１号、及び同第６，３７１，８１３号に図示され記載されている。
【００３０】
ヘッダーコネクタ４０４は、ヘッダー本体４３２と、複数の信号ピン４０８と、複数のシールドブレード４１０を中に形成された連続ストリップと、複数の接地ピン４３４とを有している。ヘッダーコネクタ４０４に類似したヘッダーコネクタの例が、米国特許第６，１４６，２０２号、同第６，２３１，３９１号、及び同第６，３７１，８１３号に図示され記載されている。一態様において、ヘッダーコネクタ４０４はヘッダーコネクタ１０４（図２、３、及び５に示す）に類似している。しかしながら、ヘッダーコネクタ１０４の複数のシールドブレード１１０とは異なり、ヘッダーコネクタ４０４の複数のシールドブレード４１０は、複数のシールドテール（例えばシールドテール１３６など）を有していない。複数のシールドテールが存在しないことにより、電気コネクタ４０２の伝送線路のシールディングが分断されており、複数の伝送線路は、第１のプリント回路基板４１８に接続されるように構成されている。一実施形態において、複数のシールドテールが存在しないことにより、第１のプリント基板４１８の対応するホール４３８を除くことが可能となり、それにより、業界基準のＩＥＣ  ６１０７６−４−１０１に従うハードメトリックコネクタ及びコンパクトＰＣＩ又はフューチャーバスの業界基準に従うハードメトリックコネクタに合わせた、プリント回路基板のホールパターンを使用することが可能となる。
【００３１】
電気コネクタ４０２における複数の伝送線路の断続的なシールディングを促進するために、ソケットコネクタ４０６の複数の第１のシールド４１６は、電気的にアース接続されるように構成されている。複数の第１のシールド４１６の各々は、複数のシールドテールを有しており、それらのシールドテールは、一実施形態においては、複数の第１のシールド４１６を電気的に接地するように構成された複数の側部シールドテール４４４として構成される。側部シールドテール４４４は、第２のプリント回路基板４２０のホール４３０に圧入及び／又ははんだ付けされることができる。別法として、複数の第１のシールド４１６の第２のプリント基板４２０への電気的接地は、限定するものではないが、圧入、はんだ付け、表面実装、摩擦嵌合、機械的な締め付け、及び接着剤を含めて、任意の好適な方法／構造を使用して達成されてよい。
【００３２】
図１２及び１３を参照すると、電気コネクタ５０２が、ヘッダーコネクタ５０４と、ヘッダーコネクタ５０４に嵌合するように構成されたソケットコネクタ５０６とを有している。ヘッダーコネクタ５０４は、第１のプリント回路基板５１８に結合されるように構成されており、複数の信号ピン５０８を有している。ソケットコネクタ５０６は、第２のプリント回路基板５２０に結合されるように構成されており、各々が信号接点５１４に結合された複数の導電経路５１２と、複数の第１のシールド５１６とを有している。複数の信号ピン５０８、並びに複数の導電経路５１２及び信号接点５１４は、複数の伝送線路を形成するように構成されている。複数の第１のシールド５１６は、ヘッダーコネクタ５０４とソケットコネクタ５０６とが嵌合した配置にあるときに複数の伝送線路の断続的なシールディングを提供するよう構成されている。
【００３３】
ソケットコネクタ５０６は、ソケットハウジング５２２と、複数の水平シールド５２４（本願では「第３のシールド」とも呼ばれる）と、複数のコネクタモジュール５２６（「ウエハ」としても知られる）と、複数の垂直ストリップ線路シールド５１６（本願では「第１のシールド」又は「第１のシールド部分」とも呼ばれる）と、複数の側方延在傾斜テールシールド５２８（本願では「第２のシールド」又は「第２のシールド部分」とも呼ばれる）とを有している。ソケットコネクタ５０６に類似したソケットコネクタの例が、米国特許第６，１４６，２０２号、同第６，２３１，３９１号、及び同第６，３７１，８１３号に図示され記載されている。ソケットコネクタのこれらの例とは異なり、ソケットコネクタ５０６の複数の第１のシールド５１６は、複数の側部シールドテール（例えば、米国特許第６，１４６，２０２号における側方シールドテール３００など）を有していない。一実施形態において、複数の側部シールドテールが存在しないことにより、第２のプリント基板５２０の対応するホール５３０を除くことが可能となり、それにより、業界基準のＩＥＣ  ６１０７６−４−１０１に従うハードメトリックコネクタ及びコンパクトＰＣＩ又はフューチャーバスの業界基準に従うハードメトリックコネクタに合わせた、プリント回路基板のホールパターンを使用することが可能となる。
【００３４】
ヘッダーコネクタ５０４は、ヘッダー本体５３２と、複数の信号ピン５０８と、複数の接地ピン５３４とを有している。ヘッダーコネクタ５０４は、業界基準のＩＥＣ  ６１０７６−４−１０１に従うハードメトリックヘッダーコネクタであっても、コンパクトＰＣＩ又はフューチャーバスの業界基準に従うハードメトリックヘッダーコネクタであってもよい。一態様において、ヘッダーコネクタ５０４はヘッダーコネクタ１０４（図２、３、及び５に示す）に類似している。しかしながら、ヘッダーコネクタ１０４とは異なり、ヘッダーコネクタ５０４は複数のシールドブレード（例えばシールドブレード１１０など）を有していない。複数のシールドブレードが存在しないことにより、第１のシールド５１６の嵌合端部にて電気コネクタ５０２の伝送線路のシールディングが分断されている。一実施形態において、ヘッダーコネクタ５０４は、業界基準のＩＥＣ  ６１０７６−４−１０１に従うハードメトリックコネクタ又はコンパクトＰＣＩ又はフューチャーバス業界基準に従うハードメトリックコネクタに合わせたプリント回路基板のホールパターンを使用して、第１のプリント回路基板５１８に装着されることができる。
【００３５】
電気コネクタ５０２における複数の伝送線路の断続的なシールディングを促進するために、ソケットコネクタ５０６の複数の第１のシールド５１６は、電気的にアース接続されるように構成されている。複数の第１のシールド５１６は１つおきに、複数の第１のシールド５１６を電気的に接地するように構成された端部シールドテール５４０を有している。端部シールドテール５４０は、第２のプリント回路基板５２０のホール５３０に圧入及び／又ははんだ付けされることができる。別法として、複数の第１のシールド５１６の第２のプリント基板５２０への電気的接地は、限定するものではないが、圧入、はんだ付け、表面実装、摩擦嵌合、機械的な締め付け、及び接着剤を含めて、任意の好適な方法／構造を使用して達成されてよい。
【００３６】
図１４及び１５を参照すると、電気コネクタ６０２が、ヘッダーコネクタ６０４と、ヘッダーコネクタ６０４に嵌合するように構成されたソケットコネクタ６０６とを有している。ヘッダーコネクタ６０４は、第１のプリント回路基板６１８に結合されるように構成されており、複数の信号ピン６０８を有している。ソケットコネクタ６０６は、第２のプリント回路基板６２０に結合されるように構成されており、各々が信号接点６１４に結合された複数の導電経路６１２と、複数の第１のシールド６１６とを有している。複数の信号ピン６０８、並びに複数の導電経路６１２及び信号接点６１４は、複数の伝送線路を形成するように構成されている。複数の第１のシールド６１６は、ヘッダーコネクタ６０４とソケットコネクタ６０６とが嵌合した配置にあるときに複数の伝送線路の断続的なシールディングを提供するよう構成されている。
【００３７】
ソケットコネクタ６０６は、ソケットハウジング６２２と、複数の水平シールド６２４（本願では「第３のシールド」とも呼ばれる）と、複数のコネクタモジュール６２６（「ウエハ」としても知られる）と、複数の垂直ストリップ線路シールド６１６（本願では「第１のシールド」又は「第１のシールド部分」とも呼ばれる）と、複数の側方延在傾斜テールシールド６２８（本願では「第２のシールド」又は「第２のシールド部分」とも呼ばれる）とを有している。電気コネクタ６０２において使用され得るソケットコネクタ６０６に類似したソケットコネクタの例が、米国特許第６，１４６，２０２号、同第６，２３１，３９１号、及び同第６，３７１，８１３号に図示され記載されている。
【００３８】
ヘッダーコネクタ６０４は、ヘッダー本体６３２と、複数の信号ピン６０８と、複数の接地ピン６３４とを有している。ヘッダーコネクタ６０４は、業界基準のＩＥＣ  ６１０７６−４−１０１に従うハードメトリックヘッダーコネクタであっても、コンパクトＰＣＩ又はフューチャーバスの業界基準に従うハードメトリックヘッダーコネクタであってもよい。一態様において、ヘッダーコネクタ６０４はヘッダーコネクタ１０４（図２、３、及び５に示す）に類似している。しかしながら、ヘッダーコネクタ１０４とは異なり、ヘッダーコネクタ６０４は複数のシールドブレード（例えばシールドブレード１１０など）を有していない。複数のシールドブレードが存在しないことにより、第１のシールド６１６の嵌合端部にて電気コネクタ６０２の伝送線路のシールディングが分断されている。一実施形態において、ヘッダーコネクタ６０４は、業界基準のＩＥＣ  ６１０７６−４−１０１に従うハードメトリックコネクタ又はコンパクトＰＣＩ若しくはフューチャーバスの業界基準に従うハードメトリックコネクタに合わせたプリント回路基板のホールパターンを使用して、第１のプリント回路基板６１８に装着されることができる。
【００３９】
電気コネクタ６０２における複数の伝送線路の断続的なシールディングを促進するために、ソケットコネクタ６０６の複数の第１のシールド６１６は、電気的にアース接続されるように構成されている。複数の第１のシールド６１６の各々は、複数のシールドテールを有しており、それらのシールドテールは、一実施形態においては、複数の第１のシールド６１６を電気的に接地するように構成された複数の側部シールドテール６４４として構成される。側部シールドテール６４４は、第２のプリント回路基板６２０のホール６３０に圧入及び／又ははんだ付けされることができる。別法として、複数の第１のシールド６１６の第２のプリント基板６２０への電気的接地は、限定するものではないが、圧入、はんだ付け、表面実装、摩擦嵌合、機械的な締め付け、及び接着剤を含めて、任意の好適な方法／構造を使用して達成されてよい。
【００４０】
図１６Ａ及び１６Ｄのグラフは、上で説明し図２〜１５に示した本発明の態様による、断続的なシールディングの電気コネクタの例示的な実施形態のインピーダンスプロファイルを示している。
【００４１】
図１６Ａのグラフは、断続的なシールディングの電気コネクタのインピーダンスプロファイル、及び非断続的なシールディングあるいはシールドのない同じ電気コネクタのインピーダンスプロファイルの例を示している。これらのインピーダンスプロファイルはそれぞれ、第１の電気コネクタ（位置Ｈ）、電気ケーブル（位置Ｉ）、及び第２の電気コネクタ（位置Ｊ）を通じて信号が進行するように電気ケーブルを介して電気的に接続された２つの電気コネクタを有するアセンブリを使用して測定されたものである。いずれのインピーダンスプロファイルも、約３５ｐｓの立ち上がり時間にて測定されたものであり、この立ち上がり時間は、第１のコネクタ差し込み口における約１００ｐｓの立ち上がり時間に対応している。図１６Ａのグラフに示すインピーダンスプロファイルの詳細が、以下の表１に示されている。表１の符号１０２、３０２及び６０２はそれぞれ、電気コネクタ１０２（図２〜５に示す）、電気コネクタ３０２（図８及び９に示す）、及び電気コネクタ６０２（図１４及び１５に示す）を表している。
【００４２】
【表１】
2011529254.tif 000003
【００４３】
図１６Ａのグラフに示すように、断続的なシールディングの電気コネクタのインピーダンスプロファイルにおける不連続性は、予想外にも、シールディングのない同じ電気コネクタのインピーダンスプロファイルにおける不連続性よりも小さく、断続的なシールディングの電気コネクタのインピーダンスプロフェイルは、非断続的なシールディングの同じ電気コネクタのインピーダンスプロフェイルと類似している。
【００４４】
図１６Ｄのグラフは、断続的なシールディングの電気コネクタのインピーダンスプロファイル、及びシールディングのない同じ電気コネクタのインピーダンスプロファイルの例を示している。これらのインピーダンスプロファイルはそれぞれ、第１の電気コネクタ（位置Ｋ）、プリント回路基板（位置Ｌ）、及び第２の電気コネクタ（位置Ｍ）を通じて信号が進行するようにプリント回路基板を介して電気的に接続された２つの電気コネクタを有するアセンブリを使用して測定されたものである。これらのインピーダンスプロファイルは、約３５ｐｓの立ち上がり時間にて測定されたものであり、この立ち上がり時間は、第１のコネクタ差し込み口における約１００ｐｓの立ち上がり時間に対応している。図１６Ｄのグラフに示すインピーダンスプロファイルの詳細が、以下の表２に示されている。表２の符号５０２及び６０２はそれぞれ、電気コネクタ５０２（図１２及び１３に示す）及び電気コネクタ６０２（図１４及び１５に示す）を表している。
【００４５】
【表２】
2011529254.tif 000004
【００４６】
図１６Ｄに示すように、断続的なシールディングの電気コネクタのインピーダンスプロファイルにおける不連続性は、予想外にも、シールディングのない同じ電気コネクタのインピーダンスプロファイルにおける不連続性よりも小さなものとなっている。
【００４７】
上記の表及び図１６Ａ〜１６Ｄのグラフに示す情報は、例を表すものであり、本明細書に記載する本発明の範囲を限定することを意図したものではない。
【００４８】
本明細書に記載した実施形態及び実現形態の各々において、本発明の態様による電気コネクタ及びその要素の様々な例示的な実施形態が、任意の好適な材料から形成される。それらの材料は、目的の用途に応じて選択されるものであり、金属と非金属（例えば、限定するものではないが、ポリマー、ガラス、及びセラミックスを含めた非導電性材料のうちのいずれか１つ又は組み合わせ）の双方を含んでもよい。一実施形態において、ヘッダー本体１３２、ソケットハウジング１２２、並びに第３のシールド１２４及びコネクタモジュール１２６の絶縁要素は、射出成形、押し出し、鋳造、機械加工などの方法で高分子材料から形成され、一方で、信号ピン１０８、接地ピン１３４、シールドブレード１１０、第１のシールド１１６、第２のシールド１２８、並びに第３のシールド１２４及びコネクタモジュール１２６の導電性要素は、成型、鋳造、スタンプ加工、機械加工などの方法で金属から形成される。材料の選択は、限定するものではないが一部を挙げると、化学暴露条件、温度及び湿度条件を含めた環境暴露条件、難燃性要件、材料強度、並びに剛性を含む要因に依存する。
【００４９】
好ましい実施形態の説明を目的として、特定の実施形態について本明細書で例示し説明してきたが、同じ目的を達成するように計算された多種多様な他の実現形態及び／又は等価な実現形態が、本発明の範囲から逸脱することなく、図示し説明した特定の実施形態の代わりとなり得ることが、当業者には理解されよう。機械、電気機械、及び電気の分野における当業者には、本発明が非常に多種多様な実施形態で実現され得ることは容易に理解されよう。本願は、本明細書で論じた好ましい実施形態のいかなる改作又は変型をも包含することを意図したものである。したがって、本発明が特許請求の範囲及びその等価物によってのみ限定されることが、明白に意図されている。
【図１Ａ】
2011529254.tif 000005
【図１Ｂ】
2011529254.tif 000006
【図１Ｃ】
2011529254.tif 000007
【図１Ｄ】
2011529254.tif 000008
【図１Ｅ】
2011529254.tif 000009
【図２】
2011529254.tif 000010
【図３】
2011529254.tif 000011
【図４】
2011529254.tif 000012
【図５】
2011529254.tif 000013
【図６】
2011529254.tif 000014
【図７】
2011529254.tif 000015
【図８】
2011529254.tif 000016
【図９】
2011529254.tif 000017
【図１０】
2011529254.tif 000018
【図１１】
2011529254.tif 000019
【図１２】
2011529254.tif 000020
【図１３】
2011529254.tif 000021
【図１４】
2011529254.tif 000022
【図１５】
2011529254.tif 000023
【図１６Ａ】
2011529254.tif 000024
【図１６Ｂ】
2011529254.tif 000025
【図１６Ｃ】
2011529254.tif 000026
【図１６Ｄ】
2011529254.tif 000027
【国際調査報告】
2011529254.tif 000028
2011529254.tif 000029